(57)【要約】【課題】  ベットマット、敷き布団下に差し込み設置する多用途スタンドの、テーブルの高さを調整する伸縮する支柱パイプを固定する蝶ネジが支柱外側表面に取り付けされている為に、蝶ボルトの突起が障害となり掛け毛布、掛け布団を破く事が有った。【解決手段】  外部支柱パイプに差し込まれた伸縮する丸棒支柱下端を切断し輪切りされた支柱丸棒を切断された断面中心点より外側に再度木ネジで取り付けする事で伸縮する支柱固定金具が出来、支柱内部に支柱固定金具を設けることで支柱外部の蝶ネジの突起部を取り除く事が出来、又極めて簡単な構造の為、加工費、部品代が安価で出来、色々な用途に活用出来る伸縮支柱の固定金具を提供する。【選択図】図4
2009156315.tif 000002
【特許請求の範囲】
【請求項１】
円筒形部材（1）内に差込設けた円柱形部材（2）下端を切断し、切断輪切りされた円柱形部材（3）を木ネジ（4）で切断された断面に取り付けした事を特徴とする特許請求項1の多用途スタンドの伸縮する支柱の高さ調整固定金具。
【請求項２】
切断輪切りされた円柱形部材（3）に木ネジを通す穴（5）を切断された断面中心点より外側に設けた事を特徴とする特許請求項1の多用途スタンドの伸縮する支柱の高さ調整固定金具。
【請求項３】
切断された円柱形部材（2）切断面中心点より外側に輪切りされた円柱形部材（3）を木ネジ（4）を用い取り付けした事を特徴とした特許請求項1の多用途スタンドの伸縮する支柱の高さ調整固定金具。
【請求項４】
円柱形部材（6）に切断溝（7）を設け円筒形部材（8）に差込取り付けし、円柱形部材切断溝（7）の中心点より外側に木ネジ（4）を用い切断された円柱形部材（9）を取り付けした事を特徴とする特許請求項2の多用途スタンドの伸縮する支柱の高さ調整固定金具。
【発明の詳細な説明】
【技術分野】
【０００１】
本発明は、ベットマット、敷き布団下に差し込み使用する多用途スタンドのテーブルの高さ調整する伸縮する支柱固定金具に関する。
【背景技術】
【０００２】
多用途スタンドのテーブルの高さを調整する伸縮する支柱パイプを固定する蝶ネジ（10）がある。
【特許文献１】特開2003-139292
【特許文献２】特開2001-289208
【特許文献３】特開平07-246141
【発明の開示】
【発明が解決しようとする課題】
【０００３】
多用途スタンドは、ベットマット、敷き布団下部にスタンド固定台（18）を差し込みスタンドを設置し、スタンドテーブルに睡眠前の本を載せ読書、ワンセグ携帯等をのせてTV視聴に活用するスタンドで、比較的軽量の物をのせて活用するスタンドである。
【０００４】
ベット、敷き布団等で使用するため、シーツ交換、清掃時に簡単に撤去が出来るスタンドで軽量かつ安価であり、簡単に組み立て、設置撤去が容易である事が求められる。
【０００５】
視力にあわせスタンドのテーブルの高さを調整する伸縮する支柱パイプを締め付け固定する支柱に取り付けしている蝶ネジ（10）が、寝具等の障害となり掛け布団、掛け毛布等を破く事が有った。
【課題を解決するための手段】
【０００６】
本発明は、多用途スタンドのテーブルの高さ調整する伸縮する支柱で、伸縮する支柱は、径の異なる外部円筒形部材（1）パイプ支柱と差し込まれた円柱形部材（2）支柱の組み合わせで、外部円筒形部材パイプ支柱に差し込まれた円柱形部材（2）下端に同径の円柱部材（3）を木ネジ（4）で取り付けし円柱形部材（2）支柱を回転すると外部円筒形部材（1）に円柱形部材（2）が密着し円柱形部材支柱を固定出来る。
【発明の効果】
【０００７】
上記記述したように円筒形部材（1）支柱パイプ内に円柱形部材（2）の支柱の伸縮を固定する部材を設ける事で外部円筒形部材支柱表面に伸縮を固定する蝶ボルト等の突起物が無く寝具等の破損を回避する事が出来る。
【発明を実施するための最良の形態】
【０００８】
伸縮する支柱を外側円筒形部材（1）支柱と支柱に差し込まれた円柱形部材（2）の支柱からなり円柱形部材（2）支柱下端を切断し、切断輪切りされた円柱形部材（3）を木ネジで円柱形部材（2）の切断断面中心点より外側に円柱部材（3）を取り付けする事で、円柱形部材（2）支柱を回転すると円柱刑部材（3）の木ネジ軸中心に回転する、円柱形支柱部材（2）の中心点と異なる為に、円柱形部材（2）支柱が外側円筒形部材（1）支柱に密着し固定され最小の部材部品点数で安価な支柱の伸縮固定金具が出来た。
【実施例１】
【０００９】
円筒形部材（1）内径12ｍｍ内に差込設けた円柱形部材（2）外形11.8ｍｍ下端約12ｍｍを切断し、切断された円柱形部材（3）の中心点より外側に2ｍｍに径4ｍｍの木ネジ（4）通し穴（5）を設ける。
【００１０】
外部支柱円筒形部材（1）は、アルミパイプ、ステンレスパイプ、スチールパイプを用いるが、テーブルに載せる重量に対する強度を有するものであればどの様な材質の部材を用いても良くプラスチック等の丸いパイプを用いても良い。
【００１１】
円柱形部材（2）は、樹脂丸棒、プラスチック丸棒、スチール、アルミ、ステンレスパイプに樹脂にプラスチックを溶かし詰め込んだパイプ等を用いても良い。
【００１２】
切断された円柱形部材（3）に設けた木ネジ通し穴（5）は、木ネジが容易に通る穴の大きさで、支障なく適度に木ネジを中心に円柱形部材（3）が回転する穴の大きさとする。
【００１３】
スチール製で木ネジは径3.5ｍｍ×長さ35ｍｍを用いる。
【００１４】
輪切り切断された円柱形部材（3）を円柱形部材（2）の切断断面中心点より外側2ｍｍに木ネジで取り付けするが、円柱形部材（3）が容易に支障なく回転できるように円柱形部材（2）との間を3ｍｍほど隙間を開けて取り付けする。
【実施例２】
【００１５】
円柱形部材（6）に切断溝（7）を設け円筒形パイプ部材（8）に差込取り付けし、円柱形部材（6）切断断面溝（7）の中心点より外側２ｍｍの切断溝に木ネジ（5）を用い円柱形部材（9）を取り付けする。
【００１６】
伸縮するスタンド支柱は、径の異なる丸型パイプを用い外側パイプに内側パイプを差し込み伸縮する支柱とするが、部材材質にはアルミパイプ、ステンレスパイプ、スチールパイプ等を用い、内側パイプ下端に切断溝を設けた円柱形部材（6）を差込み、切断断面溝（7）の中心点より外側２ｍｍ溝に木ネジ（5）を用い円柱形部材（9）を取り付けする。
【００１７】
円柱形部材（6）の径は内側パイプに差し込み出来る大きさで長さは20ｍｍとし、樹脂性丸棒又は、プラスチック、硬質の木材丸棒等を用いても良い。
【００１８】
円柱形部材（6）に切断溝（7）を円柱形部材（6）の中心点まで縦に切断し溝を設ける。
【００１９】
切断溝幅は、0.5ｍｍ厚さのバンドソーの鋸刃を用い切断溝幅として溝を設ける。
【００２０】
切断溝は、木ネジが溝にネジ込みされると溝が開く事により円柱形部材（6）が円筒形パイプ部材（8）に圧着固定出来る事で円柱形部材（9）を強固に取り付けする事が出来る。
【産業上の利用可能性】
【００２１】
伸縮する支柱外部パイプに差し込まれた丸棒支柱下端を切断し輪切りされた丸棒を木ネジで切断面に再度取り付けするだけの構造の為、加工費、部品代が極めて安価で出来、色々な用途に活用出来る伸縮する支持パイプとしての利用範囲が広がる。
【００２２】
利用可能性として、伸縮パイプ両端に適度のクッション性を有するゴム系部材で半球状の部材を設け、地震時の家具転等を防止する支持パイプ、突っ張り棒等として活用出来る。
【図面の簡単な説明】
【００２３】
【図１】多用途スタンドの全体斜視図で、支柱に伸縮する支柱を固定する蝶ネジ（10）を設けた部分拡大図でも有る。
【図２】外部円筒形部材（1）に差し込まれた伸縮する円柱形部材（2）支柱下端を切断する切断線（11）及び切断され輪切りの円柱形部材（3）の斜視図である。
【図３】円柱形部材（2）下端を切断し輪切りされた円柱形部材（3）に木ネジ通し穴（5）を設けた斜視図であり木ネジを挿入した斜視図。
【図４】伸縮する円柱形部材（2）中心点外側に輪切りされた円柱形部材（3）を木ネジで取り付けた斜視図である。
【図５】円柱形部材（3）を木ネジで取り付けた部分拡大状況斜視図である。
【図６】円筒形部材（8）に挿入取り付けする部材部品斜視図である。
【図７】円筒形部材（8）に円柱部材（6）を挿入し木ネジを用い円柱形部材（9）を取り付けする組み立て状況斜視図である。
【図８】伸縮する支柱を家具支える部材として活用する家具の転倒防止金具である。
【符号の説明】
【００２４】
1  外部支持パイプの円筒形部材
2  伸縮する支柱円柱形部材
3  切断され輪切りされた円柱形部材
4  木ネジ
5  木ネジを通す穴
6  円柱形部材
7  切断溝
8  円筒形パイプ部材
9  円柱形部材
10  蝶ネジ
11  切断線
12  伸縮する支柱
13  弾力性クッション部材
14  テーブル
15  支柱
16  伸縮する支柱
17  蝶ボルト
18  固定台
19  断面中心点
【図１】
2009156315.tif 000003
【図２】
2009156315.tif 000004
【図３】
2009156315.tif 000005
【図４】
2009156315.tif 000006
【図５】
2009156315.tif 000007
【図６】
2009156315.tif 000008
【図７】
2009156315.tif 000009
【図８】
2009156315.tif 000010